(57)【要約】      （修正有）【課題】従来の構成ではアイコンを消すだけなので、どのファイルが無いかということを一目で知ることは難しく、他の棚で管理しているファイルを戻し間違えたような、管理物以外のものが入ってきた場合の通知も一目で判断することは難しい。そこで、本発明は、視覚的に管理物把握の向上を図ることができるＲＦＩＤ物品管理システムを提供する。【解決手段】サーバ２に管理物品情報とタグ情報を事前に登録し、ＲＦＩＤリーダライタ１が読み取ったタグ情報をサーバ２の画面上に表示する表示枠と、管理物品４がＲＦＩＤリーダライタ１の読み取り範囲にあることを表すアイコンと、読み取り範囲内にないことを表すアイコンを有し、ＲＦＩＤリーダライタ１が読み取ったタグ情報を管理物品情報と比較し、表示枠に物品４の管理状態をアイコンの種類で表示し、アイコン画像の変化により物品４の管理状態を視覚的に表示することとしたものである。【選択図】図１
2006232515.tif 000002
【特許請求の範囲】
【請求項１】
非接触ＩＣタグを付けた物品をＬＡＮに接続されたＲＦＩＤリーダライタで読み取り、遠隔地にあるサーバで前記物品を管理するＲＦＩＤ物品管理システムであって、
前記サーバに管理物品情報とタグ情報を事前に登録し、前記ＲＦＩＤリーダライタが読み取ったタグ情報をサーバの画面上に表示する表示枠と、前記管理物品が前記ＲＦＩＤリーダライタの読み取り範囲にあることを表すアイコンと、読み取り範囲内にないことを表すアイコンを有し、前記ＲＦＩＤリーダライタが読み取ったタグ情報を前記管理物品情報と比較し、前記表示枠に物品の管理状態をアイコンの種類で表示し、アイコン画像の変化により物品の管理状態を視覚的に表示することを特徴とするＲＦＩＤ物品管理システム。
【請求項２】
前記管理物品情報に登録していない未登録のタグを前記ＲＦＩＤリーダライタが読み込んだ場合、前記表示枠内にクエスチョンマークのアイコンを表示することを特徴とする請求項１に記載のＲＦＩＤ物品管理システム。
【請求項３】
前記事前に登録された物品情報から、前記アイコンを前記物品の形態或いは関連した画像として表示することを特徴とする請求項１に記載のＲＦＩＤ物品管理システム。
【請求項４】
前記アイコンをダブルクリックすることにより、前記事前に登録された物品情報を表示することを特徴とする請求項１〜３いずれか１項に記載のＲＦＩＤ物品管理システム。
【請求項５】
前記アイコンを表示する表示枠を複数設け、前記ＲＦＩＤリーダライタが読み取るタグをある条件で複数のグループに分け、管理状態を複数の表示枠で分けて表示することを特徴とする請求項１〜４いずれか１項に記載のＲＦＩＤ物品管理システム。
【請求項６】
前記表示枠に表示しているアイコンをドラッグし、他の表示枠にドロップすることで、前記アイコンをグループ分けしている登録情報をドラッグされたグループの情報に自動的に書き変えることを特徴とする請求項５に記載のＲＦＩＤ物品管理システム。
【請求項７】
非接触ＩＣタグを付けた物品をＬＡＮに接続されたＲＦＩＤリーダライタで読み取り、遠隔地にあるサーバで前記物品を管理するＲＦＩＤ物品管理システムであって、
前記サーバに管理物品情報とタグ情報を事前に登録し、前記ＲＦＩＤリーダライタが読み取ったタグ情報をサーバの画面上の表示枠内にアイコンとして表示し、アイコン画像の変化により物品の管理状態を表示することを特徴とするＲＦＩＤ物品管理システム。
【発明の詳細な説明】
【技術分野】
【０００１】
本発明は、ＲＦＩＤリーダライタを使った物品管理に関するものであり、特に遠隔地で物品の状態を管理するＲＦＩＤ物品管理システムに関するものである。
【背景技術】
【０００２】
従来から非接触ＩＣタグを物品に貼付し、この非接触ＩＣタグの情報を読み取る、或いは、情報の書込みを行うＲＦＩＤリーダライタを用い、物品管理を行うことが知られている。このＲＦＩＤ物品管理システムとしては、（特許文献１）、（特許文献２）に開示されている。
【０００３】
また、ＲＦＩＤリーダライタ（以下、省略して、ＲＦＩＤ・Ｒ／Ｗと言うこともある。）にＰＣ（パーソナルコンピュータ）を接続し、管理物に貼付された非接触タグからＲＦＩＤ・Ｒ／Ｗが読み込んだ情報を表示枠（Ｗｉｎｄｏｗ）にアイコンで表示するようなものがある。以下、図１３〜図１６を用いて動作を説明する。
【０００４】
ここで、図１３は従来のＲＦＩＤ物品管理システムを示す図、図１４は従来のＲＦＩＤ物品管理システムに用いる管理物を示す図、図１５、図１６は従来のＲＦＩＤ物品管理システムにおける管理画面を示す図である。
【０００５】
なお、１００はＲＦＩＤ・Ｒ／Ｗ、２００はＰＣ、３０は非接触ＩＣタグ、４０〜４５はファイル、５０は表示枠、６１〜６６はアイコンを示す。
【０００６】
ＲＦＩＤ・Ｒ／Ｗ１００は、非接触ＩＣタグ３０の情報の読み取りを行い、ＰＣ２００はＲＦＩＤ・Ｒ／Ｗ１００の情報を読み込み制御するものである。
【０００７】
図１３に示すように、棚状のＲＦＩＤ・Ｒ／Ｗ１００の内部には、管理物としてのファイル４１からファイル４６が配置されており、これらのファイル４１からファイル４６には、図１４に示す、ファイル４０と同様に、非接触ＩＣタグ３０が貼付してある。
【０００８】
図１３は基本的な構成図であるが、非接触タグ３０が貼られたファイル４１からファイル４６がＲＦＩＤ・Ｒ／Ｗ１００の読み取り範囲内に置かれ、ＰＣ２００と通信ケーブルで接続されている構成になっており、図１５に示すように、６冊のファイル４１からファイル４６がＲＦＩＤ・Ｒ／Ｗ１００の読み取り範囲内にある場合、常にＲＦＩＤ・Ｒ／Ｗ１００は読み込んだ６個のタグ情報をＰＣ２００に送り、ＰＣ２００ではタグ情報とファイル情報の関係から、どのファイルが管理範囲にあるかということを判断し、画面上の表示枠５０内にファイル４１からファイル４６を示すアイコン６１からアイコン６６を表示する。つまりアイコンが表示されているファイルはＲＦＩＤ・Ｒ／Ｗ１００内にあることを示しており、アイコンの名前がファイル名をあらわしている。
【０００９】
更に、図１６に示すように、ファイル４６を取り出した場合、ＲＦＩＤ・Ｒ／Ｗ１００からのタグ情報にはファイル４６のタグ情報が無くなっているため、ＰＣ２００の画面の表示枠５０内に表示しているアイコンはアイコン６１からアイコン６５までとなり、表示枠５０からはアイコン６６が無くなり、管理範囲内からファイル４６が無くなったことが分かるようになっている。
【特許文献１】特開２００５−０１０６０８号公報
【特許文献２】特開２００５−０３４３５８号公報
【発明の開示】
【発明が解決しようとする課題】
【００１０】
しかし、従来の構成ではアイコンを消すだけなので、どのファイルが無いかということを一目で知ることは難しく、他の棚で管理しているファイルを戻し間違えたような、管理物以外のものが入ってきた場合の通知も一目で判断することは難しい。
【００１１】
そこで、本発明は、視覚的に管理物把握の向上を図ることができるＲＦＩＤ物品管理システムを提供することを目的とする。
【課題を解決するための手段】
【００１２】
本発明は、非接触ＩＣタグを付けた物品をＬＡＮに接続されたＲＦＩＤリーダライタで読み取り、遠隔地にあるサーバで物品を管理するＲＦＩＤ物品管理システムであって、サーバに管理物品情報とタグ情報を事前に登録し、ＲＦＩＤリーダライタが読み取ったタグ情報をサーバの画面上に表示する表示枠と、管理物品がＲＦＩＤリーダライタの読み取り範囲にあることを表すアイコンと、読み取り範囲内にないことを表すアイコンを有し、ＲＦＩＤリーダライタが読み取ったタグ情報を管理物品情報と比較し、表示枠に物品の管理状態をアイコンの種類で表示し、アイコン画像の変化により物品の管理状態を視覚的に表示することとしたものである。これによって、管理しやすさの向上を図るＲＦＩＤ物品管理システムを得ることが出来る。
【発明の効果】
【００１３】
本発明によれば、使いやすく、利便性に富むＲＦＩＤ物品管理システムが実現可能となる。
【発明を実施するための最良の形態】
【００１４】
本発明の請求項１に記載の発明は、非接触ＩＣタグを付けた物品をＬＡＮに接続されたＲＦＩＤリーダライタで読み取り、遠隔地にあるサーバで前記物品を管理するＲＦＩＤ物品管理システムであって、サーバに管理物品情報とタグ情報を事前に登録し、ＲＦＩＤリーダライタが読み取ったタグ情報をサーバの画面上に表示する表示枠と、管理物品がＲＦＩＤリーダライタの読み取り範囲にあることを表すアイコンと、読み取り範囲内にないことを表すアイコンを有し、ＲＦＩＤリーダライタが読み取ったタグ情報を管理物品情報と比較し、表示枠に物品の管理状態をアイコンの種類で表示し、アイコン画像の変化により物品の管理状態を視覚的に表示するようにしたものであり、アイコン画像の変化により物品の管理状態を視覚的に表示出来るようにすることにより利便性の高いＲＦＩＤ物品管理システムを得ることができる。
【００１５】
請求項２に記載の発明は、管理物品情報に登録していない未登録のタグをＲＦＩＤリーダライタが読み込んだ場合、表示枠内にクエスチョンマークのアイコンを表示するようにしたものであり、管理状態を視覚的に表示出来るようにすることで利便性の高いＲＦＩＤ物品管理システムを得ることができる。
【００１６】
請求項３に記載の発明は、事前に登録された物品情報から、アイコンを物品の形態或いは関連した画像として表示することで、管理状態を視覚的に表示でき、利便性の高いＲＦＩＤ物品管理システムを得ることができる。
【００１７】
請求項４に記載の発明は、アイコンをダブルクリックすることにより、事前に登録された物品情報を表示することで、さらに利便性の高いＲＦＩＤ物品管理システムを得ることができる。
【００１８】
請求項５に記載の発明は、アイコンを表示する表示枠を複数設け、ＲＦＩＤリーダライタが読み取るタグをある条件で複数のグループに分け、管理状態を複数の表示枠で分けて表示することにより、複数の棚を同時に視覚で管理できる。
【００１９】
請求項６に記載の発明は、表示枠に表示しているアイコンをドラッグし、他の表示枠にドロップすることで、アイコンをグループ分けしている登録情報をドラッグされたグループの情報に自動的に書き変えることで、使用者が手で設定データを書き換えるような手間を無くし、さらに書き間違いなどのミスを防ぐ。
【００２０】
以下、本発明の実施の形態について図１から図８を用いて説明する。
【００２１】
（実施の形態１）
図１は本発明の実施の形態１によるＲＦＩＤ物品管理システムを示す図、図２は本発明の実施の形態１によるＲＦＩＤ物品管理システムに用いる管理物を示す図、図３は本発明の実施の形態１によるＲＦＩＤ物品管理システムにおける管理画面を示す図である。
【００２２】
図１、図２において、１はＲＦＩＤリーダライタ、２はサーバ、３は非接触ＩＣタグ、４は管理物であり、図３において、５は表示枠、６は管理状態アイコン、７は貸し出し状態アイコンを示す。実施の形態１においては、管理物４はファイルである。
【００２３】
図２に示すように、管理物４には非接触ＩＣタグ３が貼付されている。管理するすべての管理物４に非接触ＩＣタグ３は貼ってあり、管理物４はＲＦＩＤリーダライタ１の読み取り範囲内に置かれている。ＲＦＩＤリーダライタ１が読み取った非接触ＩＣタグ３のＩＤ情報はサーバ２に送られ、サーバ２では、あらかじめ登録されている管理物４と非接触ＩＣタグ３の情報と比較して、ＲＦＩＤリーダライタ１が読み取ったタグＩＤと一致する管理物４に対応する管理状態アイコン６をサーバ２の画面上の表示枠（Ｗｉｎｄｏｗ）５内に表示する。それと同時に、管理対象として登録されているタグＩＤがＲＦＩＤリーダライタ１が読み取ったタグＩＤ情報の中に無ければ、前条件に符合する貸し出し状態アイコン７をサーバ２の画面上の表示枠５内に表示する。このような一連の動作を行うことで、サーバ２の画面上の表示枠５内にはすべての管理物４の管理状態が視覚的に表示される。
【００２４】
（実施の形態２）
図４は本発明の実施の形態２によるＲＦＩＤ物品管理システムにおける管理画面を示す図であり、８はクエスチョンマークアイコンである。実施の形態１でＲＦＩＤリーダライタ１が読み取った非接触ＩＣタグ３のＩＤ情報の中に、あらかじめ登録されている管理物４と非接触ＩＣタグ３の情報にないタグＩＤが含まれていた場合、該当情報をクエスチョンマークアイコン８でサーバ２の画面上の表示枠５内に表示する。未登録物をクエスチョンマークアイコン８で表示するということで、視覚的に状態を把握しやすい画面を作ることが出来る。
【００２５】
（実施の形態３）
図５、図６、図７は本発明の実施の形態３によるＲＦＩＤ物品管理システムにおける管理画面を示す図を示している。８ａ、８ｂ、８ｃは画像アイコンである。実施の形態１や実施の形態２で、管理物４がファイルであった場合は図１、図２で管理物４がどのようなものであるか把握できるが、貴重品ボックスや帽子や洋服のような物であった場合、遠隔地からの管理ということで、管理物４の把握を一目ですることはできない。しかしながら、図５、図６、図７に示すように、あらかじめ登録されている管理物４と非接触ＩＣタグ３の情報から管理物４に対応した画像アイコン８ａ、８ｂ、８ｃを使用することにより、視覚的に管理物の把握が容易にできるようになる。
【００２６】
（実施の形態４）
図８は本発明の実施の形態４によるＲＦＩＤ物品管理システムにおける管理物の詳細データ表示画面を示す図であり、実施の形態１〜３で説明したサーバ２の画面上の表示枠５内に表示されている管理状態アイコン６、貸し出し状態アイコン７、クエスチョンマークアイコン８、或いは、画像アイコン８ａ、８ｂ、８ｃをダブルクリックすることにより、図８に示す対象物の管理ナンバ、タグＩＤ、種類、色、導入日（入荷日）、取り出し回数情報などのような詳細情報が別の表示枠５ａで表示される。管理者が対象とする管理物４の情報を簡単に得ることが可能となる。
【００２７】
（実施の形態５）
図９は本発明の実施の形態５による複数台数のＲＦＩＤリーダライタを有するＲＦＩＤ物品管理システムを示す図、図１０は本発明の実施の形態５による複数アンテナを有するＲＦＩＤ物品管理システムを示す図であり、図１１は本発明の実施の形態５によるＲＦＩＤ物品管理システムにおける管理画面を示す図である。９は第一のアンテナ、１０は第二のアンテナ、１１は切り替えスイッチ、１２はアンテナ分離型ＲＦＩＤリーダライタを表す。
【００２８】
図９に示す場合では、複数台のＲＦＩＤリーダライタ１がネットワーク内に存在し、サーバ２が同時に管理する場合であり、図１０においては、ネットワーク内には１台のアンテナ分離型ＲＦＩＤリーダライタ１２が存在し、このアンテナ分離型ＲＦＩＤリーダライタ１２と第一のアンテナ９及び第二のアンテナ１０の間に切り替えスイッチ１１を設けることで、ネットワーク内に管理するグループが図９と同様に複数生じる場合である。なお、図９や図１０のように２台とは限らず、２台以上の場合や、図９と図１０が複合する環境もあり得る。そして、このような複数のグループが生じる環境で管理を行うためには、上記実施の形態１〜４で示したような単一の表示枠５によるウインドウ表示では、それぞれの状態を確認するために一つずつ、アイコンをクリックして見ていく必要があり、同時に管理することはできないため、図１１で示す表示枠５、表示枠５ｂのように複数のウインドウを表示するようにして、状態がすべて同時に更新できるような構成とすることにより、複数の棚を視覚的にその状態把握することが可能となる。
【００２９】
（実施の形態６）
図１２は本発明の実施の形態６によるＲＦＩＤ物品管理システムにおける管理画面を示す図である。図１２に示すように表示枠５の上段から下段に管理状態アイコン６をドラッグ＆ドロップすると、表示枠５内のアイコン移動となり、同時にあらかじめ登録されている管理物４と非接触ＩＣタグ３の情報が更新される。自動で更新できることにより、手動で書き直す手間を省き、書き間違いなどのミスを防ぐことが出来る。
【産業上の利用可能性】
【００３０】
視覚的に管理物把握の向上を図ることが必要な種々のＲＦＩＤ物品管理システムにも適用できる。
【図面の簡単な説明】
【００３１】
【図１】本発明の実施の形態１によるＲＦＩＤ物品管理システムを示す図
【図２】本発明の実施の形態１によるＲＦＩＤ物品管理システムに用いる管理物を示す図
【図３】本発明の実施の形態１によるＲＦＩＤ物品管理システムにおける管理画面を示す図
【図４】本発明の実施の形態２によるＲＦＩＤ物品管理システムにおける管理画面を示す図
【図５】本発明の実施の形態３によるＲＦＩＤ物品管理システムにおける管理画面を示す図
【図６】本発明の実施の形態３によるＲＦＩＤ物品管理システムにおける管理画面を示す図
【図７】本発明の実施の形態３によるＲＦＩＤ物品管理システムにおける管理画面を示す図
【図８】本発明の実施の形態４によるＲＦＩＤ物品管理システムにおける管理物の詳細データ表示画面を示す図
【図９】本発明の実施の形態５による複数台数のＲＦＩＤリーダライタを有するＲＦＩＤ物品管理システムを示す図
【図１０】本発明の実施の形態５による複数アンテナを有するＲＦＩＤ物品管理システムを示す図
【図１１】本発明の実施の形態５によるＲＦＩＤ物品管理システムにおける管理画面を示す図
【図１２】本発明の実施の形態６によるＲＦＩＤ物品管理システムにおける管理画面を示す図
【図１３】従来のＲＦＩＤ物品管理システムを示す図
【図１４】従来のＲＦＩＤ物品管理システムに用いる管理物を示す図
【図１５】従来のＲＦＩＤ物品管理システムにおける管理画面を示す図
【図１６】従来のＲＦＩＤ物品管理システムにおける管理画面を示す図
【符号の説明】
【００３２】
１    ＲＦＩＤリーダライタ
２    サーバ
３    非接触ＩＣタグ
４    管理物
５    表示枠
６    管理状態アイコン
７    貸し出し状態アイコン
８    クエスチョンマークアイコン
９    第一のアンテナ
１０    第二のアンテナ
１１    切り替えスイッチ
１２    アンテナ分離型ＲＦＩＤリーダライタ
【図１】
2006232515.tif 000003
【図２】
2006232515.tif 000004
【図３】
2006232515.tif 000005
【図４】
2006232515.tif 000006
【図５】
2006232515.tif 000007
【図６】
2006232515.tif 000008
【図７】
2006232515.tif 000009
【図８】
2006232515.tif 000010
【図９】
2006232515.tif 000011
【図１０】
2006232515.tif 000012
【図１１】
2006232515.tif 000013
【図１２】
2006232515.tif 000014
【図１３】
2006232515.tif 000015
【図１４】
2006232515.tif 000016
【図１５】
2006232515.tif 000017
【図１６】
2006232515.tif 000018